(57)【要約】【課題】  容易に高い位置精度で取付けが行なえるアンテナプローブを提供する。【解決手段】  アンテナプローブ１は、少なくとも一部が導波管７の内側に配置されるアンテナ部１５と、マイクロストリップライン９との接続を行なうための接続部１６とを備え、接続部１６は、マイクロストリップライン９と接続される接続面を有し、この接続面は平面状に形成されている。アンテナ部１５は、第１の曲折部を介して接続部１６と一体的に導体で形成されている。アンテナプローブ１は、板状の導体を折り曲げて形成されている。【選択図】        図１
2006238197.tif 000002
【特許請求の範囲】
【請求項１】
少なくとも一部が導波管の内側に配置されるアンテナ部と、
マイクロストリップラインとの接続を行なうための接続部と
を備え、
前記接続部は、前記マイクロストリップラインと接続される接続面を有し、
前記接続面は、平面状に形成され、
前記アンテナ部は、第１の曲折部を介して前記接続部と一体的に導体で形成された、アンテナプローブ。
【請求項２】
板状の前記導体を折り曲げて形成された、請求項１に記載のアンテナプローブ。
【請求項３】
前記アンテナ部は、Ｌ字形に形成され、
前記アンテナ部は、信号を受信するための受信部を含み、
前記受信部は、延びる方向が前記接続面とほぼ平行に形成された、請求項１に記載のアンテナプローブ。
【請求項４】
前記アンテナ部は、第２の曲折部を含み、
前記アンテナ部は、信号を受信するための受信部を含み、
前記受信部は、延びる方向が到来信号の偏波面と水平になるように形成された、請求項１に記載のアンテナプローブ。
【請求項５】
前記第１の曲折部は、湾曲するように形成された、請求項１に記載のアンテナプローブ。
【請求項６】
前記第１の曲折部は、凸の部分の角取り加工が行なわれた、請求項１に記載のアンテナプローブ。
【請求項７】
前記アンテナ部および前記接続部の少なくとも一部に、半田流れ抑制手段が形成された、請求項１に記載のアンテナプローブ。
【請求項８】
請求項１に記載のアンテナプローブと、
前記マイクロストリップラインが表面に配置された回路基板と
を備える、低雑音コンバータ。
【請求項９】
前記回路基板は、前記アンテナ部が挿入された開口部と、
前記マイクロストリップラインにおける前記接続部の接合位置を定めるための位置決めマークと
を含む、請求項８に記載の低雑音コンバータ。
【請求項１０】
マイクロストリップラインと接合すべき接続部を平面状に形成して、信号を受信すべきアンテナ部を前記接続部と一体的に形成する第１工程と、
回路基板に開口部を形成して、前記開口部を通して前記アンテナ部の少なくとも一部を導波管の内部に配置する第２工程と、
前記接続部と前記マイクロストリップラインとを接合する第３工程と
を含み、
前記第１工程は、板状の導体を折り曲げる工程を含み、
前記第２工程は、前記導体の一の平面部分を前記アンテナ部として前記導波管の内部に配置する工程を含み、
前記第３工程は、前記導体の他の平面部分を前記接続部としてマイクロストリップラインに接合する工程を含む、アンテナプローブの接続方法。
【発明の詳細な説明】
【技術分野】
【０００１】
本発明は、アンテナプローブ、アンテナプローブを備えた低雑音コンバータ、およびアンテナプローブの接続方法に関する。
【背景技術】
【０００２】
衛星放送や衛星通信などの信号を受信するために、アンテナ装置を備える受信システムが用いられている。
【０００３】
図１１に、一般的な衛星放送受信システムの概略図を示す。矢印７４に示す放送衛星３３からの到来信号は、アンテナ３５の表面で反射して低雑音（ＬＮＢ：Low Noise Block down）コンバータ３２で受信される。低雑音コンバータ３２は、放送衛星３３から到来する１２ＧＨｚ帯の微弱の電波を１ＧＨｚ帯のＩＦ（Intermediate Frequency）帯域の信号に周波数を変換する。
【０００４】
低雑音コンバータ３２は、低雑音の状態で信号を増幅して、ＩＦケーブル３４を介して、ＤＢＳ（Direct Broadcasting Satellite）チューナ３１に信号を送信する。衛星からの信号は、たとえば１２．２０〜１２．７５ＧＨｚの周波数で到来する。低雑音コンバータ３２によって周波数が変換され、１０００〜１５５０ＭＨｚの周波数でＤＢＳチューナ３１に送信される。ＤＢＳチューナ３１は、受信した信号を内部回路において処理を行ない、テレビジョン受像機３０に信号を送信する。テレビジョン受像機３０は、受信した信号に基づいて映像や画像を表示する。
【０００５】
屋内領域６１は、機器が屋内に配置される領域を示し、テレビジョン受像機３０およびＤＢＳチューナ３１は屋内に配置されている。
【０００６】
図１２に低雑音コンバータの内部に形成された電気回路のブロック図の一例を示す。１２ＧＨｚ帯の周波数を有する到来信号は、低雑音コンバータ３２の導波管に導かれる。この導波管の内部には、アンテナプローブ５２，５３が配置され、到来信号がアンテナプローブ５２，５３で受信される。
【０００７】
アンテナプローブ５２，５３で受信された信号は、ＬＮＡ（低雑音増幅器）４０に送信される。ＬＮＡ４０では信号が増幅される。ＬＮＡ４０は、アンテナプローブ５３の出力信号を増幅するための増幅器４１と、アンテナプローブ５２の出力を増幅するための増幅器４２と、切替器４４と、切替器４４からの出力を増幅するための増幅器４３とを含む。
【０００８】
ＬＮＡ４０で増幅された信号は、フィルタ４５を介して、ミキサ４６に送信される。フィルタ４５には、所望の周波数帯を通過させ、イメージ周波数帯の信号を除去する機能を有するＢＰＦ（Band Pass Filter）が用いられている。ミキサ４６においては、局部発信器４８の出力信号が合成され、中間周波数に信号が変換される。ミキサ４６からの出力信号は、中間周波数増幅器４７によって増幅され、適切な雑音特性と利得特性とを有する状態で出力端子５０に送信される。これらの各機器には、電源４９によって電気が供給される。
【０００９】
低雑音コンバータ３２は、到来する電波を受信するための導波管およびアンテナプローブを備える。
【００１０】
図１３に、アンテナプローブが内部に配置された導波管の概略斜視図を示す。図１４に、図１３におけるＸＩＶ−ＸＩＶ線に関する矢視断面図を示す。アンテナ表面で反射した電波は、矢印７１に示す向きに導波管に進入する。矢印７１に示す到来信号は、直交２偏波の信号である。この到来信号は、矢印７５に示す方向に平行な偏波面および矢印７６に示す方向に平行な偏波面を有する。それぞれの偏波面は互いに直交している。たとえば、矢印７５に示す方向に平行な信号は垂直偏波の偏波面であり、矢印７６に示す方向に平行な信号は、水平偏波の偏波面である。
【００１１】
導波管５１の内部には、それぞれの偏波面を有する偏波信号を受信するためのアンテナプローブ５２，５３が配置されている。アンテナプローブ５２は、矢印７５に示す方向に平行な偏波面を有する信号を受信する。一方で、アンテナプローブ５３は、矢印７６に示す方向に平行な偏波面を有する信号を受信する。
【００１２】
図１４を参照して、アンテナプローブ５２とアンテナプローブ５３とは、それぞれの延びる方向が互いに直交するように配置されている。また、図１３を参照して、アンテナプローブ５２とアンテナプローブ５３とは、導波管５１の延びる方向において離れて配置されている。
【００１３】
このようなアンテナプローブを含む導波管は、たとえば、特開平１０−２６１９０２号公報や特開２０００−２６１２０２号公報に開示されている。これらのアンテナプローブは、棒状に形成されて導波管に固定されている。
【００１４】
図１５に、従来の技術に基づく一のアンテナプローブの概略斜視図を、図１６に、従来の技術に基づく他のアンテナプローブの概略斜視図を示す。
【００１５】
図１５を参照して、アンテナプローブ５４は、円柱状に金属で形成されたアンテナ部５６と、回路基板に接続するための接続部５７とを有する。接続部５７は、金属の棒であるアンテナ部５６の先端を加工して形成されている。接続部５７は、回路基板に形成されたマイクロストリップラインに半田付けによって接合される。
【００１６】
図１６を参照して、アンテナプローブ５５は、円柱状に導体で形成されたアンテナ部５６と、導波管が形成された筐体などにアンテナプローブ５５を固定するための固定部５９と、回路基板に接続されるための接続部５８とを含む。固定部５９は、たとえば樹脂で形成され、アンテナ部５６の一部分の周りを囲むように配置されている。
【００１７】
図１７に、図１５に示すアンテナプローブを導波管に配置したときの概略斜視図を示す。また、図１８に、図１７におけるＸＶＩＩＩ−ＸＶＩＩＩ線に関する矢視断面図を示す。図１９に、従来の技術における回路基板の平面図を示す。
【００１８】
回路基板６の表面には、マイクロストリップライン９が配置され、マイクロストリップライン９および回路基板６を貫通するように、アンテナプローブ５４が配置されている。アンテナプローブ５４は、アンテナ部５６の一部が導波管５１の内部に配置される。アンテナプローブ５４の一方の端部に形成された接続部５７は、マイクロストリップライン９に半田付けによって固定されている。
【特許文献１】特開平１０−２６１９０２号公報
【特許文献２】特開２０００−２６１２０２号公報
【発明の開示】
【発明が解決しようとする課題】
【００１９】
図１５から図１８に示すように、従来の技術に基づくアンテナプローブにおいては、棒状のものが、導波管の筐体や回路基板に固定されている。
【００２０】
図１７および図１８を参照して、アンテナプローブ５４の接続部５７を回路基板６に固定する方法においては、アンテナプローブ５４の固定時に、矢印７２に示す向きや矢印７３に示す向きに傾いてしまう場合があり、組立が難しいという問題があった。また、アンテナプローブ５４の傾きが生じた場合には、傾きを修正するための治具などを用いて取付け角度を調整する必要があり、非常に手間がかかるという問題があった。
【００２１】
また、アンテナプローブ５４の取付け時には、回路基板の表面側からアンテナ部５６を視認することが難しく、アンテナプローブ５４の傾きを検査することが難しいという問題があった。
【００２２】
本発明は、容易に高い位置精度で取付けが行なえるアンテナプローブ、アンテナプローブを備えた低雑音コンバータ、およびアンテナプローブの接続方法を提供することを目的とする。
【課題を解決するための手段】
【００２３】
本発明に基づくアンテナプローブは、少なくとも一部が導波管の内側に配置されるアンテナ部と、マイクロストリップラインとの接続を行なうための接続部とを備え、上記接続部は、上記マイクロストリップラインと接続される接続面を有し、上記接続面は、平面状に形成され、上記アンテナ部は、第１の曲折部を介して上記接続部と一体的に導体で形成されている。この構成を採用することにより、容易に高い位置精度で取付けが行なえるアンテナプローブを提供することができる。
【００２４】
上記発明において好ましくは、板状の上記導体を折り曲げて形成されている。この構成を採用することにより、容易に上記アンテナプローブを形成することができる。
【００２５】
上記発明において好ましくは、上記アンテナ部は、Ｌ字形に形成され、上記アンテナ部は、信号を受信するための受信部を含み、上記受信部は、延びる方向が上記接続面とほぼ平行に形成されている。この構成を採用することにより、直交２偏波の信号を受信するための２つの上記アンテナプローブを、一の方向から上記導波管の内部に向かって配置することができる。
【００２６】
上記発明において好ましくは、上記アンテナ部は、第２の曲折部を含み、上記アンテナ部は、信号を受信するための受信部を含み、上記受信部は、延びる方向が到来信号の偏波面と水平になるように形成されている。この構成を採用することにより、任意の傾斜角度偏波面を有する到来信号に対して、本発明を適用することができる。
【００２７】
上記発明において好ましくは、上記第１の曲折部は、湾曲するように形成されている。または、上記第１の曲折部は、凸の部分の角取り加工が行なわれている。
【００２８】
上記発明において好ましくは、上記アンテナ部および上記接続部の少なくとも一部に、半田流れ抑制手段が形成されている。この構成を採用することにより、上記受信部に、半田が流れることを防止でき、受信特性の低下を防止できる。
【００２９】
本発明に基づく低雑音コンバータは、上述のアンテナプローブと、上記マイクロストリップラインが表面に配置された回路基板とを備える。この構成を採用することにより、容易に高い位置精度でアンテナプローブを取付けることができる低雑音コンバータを提供することができる。
【００３０】
上記発明において好ましくは、上記回路基板は、上記アンテナ部が挿入された開口部と、上記マイクロストリップラインにおける上記接続部の接合位置を定めるための位置決めマークとを含む。上記位置決めマークを形成することにより、容易に上記アンテナプローブの取付け位置を定めることができる。
【００３１】
本発明に基づくアンテナプローブの接続方法は、マイクロストリップラインと接合すべき接続部を平面状に形成して、信号を受信すべきアンテナ部を上記接続部と一体的に形成する第１工程と、回路基板に開口部を形成して、上記開口部を通して上記アンテナ部の少なくとも一部を導波管の内部に配置する第２工程と、上記接続部と上記マイクロストリップラインとを接合する第３工程とを含む。上記第１工程は、板状の導体を折り曲げる工程を含み、上記第２工程は、上記導体の一の平面部分を上記アンテナ部として上記導波管の内部に配置する工程を含み、上記第３工程は、上記導体の他の平面部分を上記接続部としてマイクロストリップラインに接合する工程を含む。この方法を採用することにより、高い位置精度で容易に上記アンテナプローブを上記マイクロストリップラインに接合することができる。また、容易に上記アンテナプローブを形成することができる。
【発明の効果】
【００３２】
本発明によれば、容易に高い位置精度で取付けが行なえるアンテナプローブ、アンテナプローブを備えた低雑音コンバータ、およびアンテナプローブの接続方法を提供することができる。
【発明を実施するための最良の形態】
【００３３】
（実施の形態１）
図１から図７を参照して、本発明に基づく実施の形態１におけるアンテナプローブ、低雑音コンバータ、およびアンテナプローブの接続方法について説明する。
【００３４】
図１に、本実施の形態における低雑音コンバータの導波管の部分の概略斜視図を示す。図２に、図１におけるＩＩ−ＩＩ線に関する矢視断面図を示す。また、図３に、アンテナプローブが固定された回路基板の概略平面図を示す。
【００３５】
図１および図２を参照して、導波管７は、断面形状の円形の管で形成されたり、角柱状の材料に円柱状の穴部が空けられたりして形成されている。導波管７には、回路基板６が固定される。回路基板６は、ねじ止めなどの方法によって導波管７に固定されている。
【００３６】
回路基板６の表面には、たとえば銅箔で形成されたマイクロストリップライン９が形成されている。マイクロストリップライン９は、プリント基板などの配線基板の表面に、伝播する信号の周波数に対応した幅を有するように形成されている。マイクロストリップラインは、銅箔などで形成されている。マイクロストリップライン９は、回路基板６の表面に銅箔を配置して、その後に、エッチングを行なうなどの方法により形成されている。
【００３７】
マイクロストリップライン９の表面には、本実施の形態における第１のアンテナプローブとしてのアンテナプローブ１が接合されている。アンテナプローブは、接続部１６の接続面が、マイクロストリップラインと接触するように接合される。接続部１６は、マイクロストリップライン９に、たとえば半田付けによって接続固定されている。
【００３８】
アンテナの表面で反射した到来信号は、矢印７１に示すように、導波管７の一方の端部から入射する。本実施の形態におけるアンテナプローブは、矢印７１に示す方向および矢印７５に示す方向に平行な偏波面を有する直線偏波の信号を受信するためのアンテナプローブである。
【００３９】
図４に、本実施の形態における第１のアンテナプローブの概略斜視図を示す。アンテナプローブ１は、一部が導波管の内部に配置されるアンテナ部１５と、マイクロストリップラインとの接続を行なうための接続部１６とを含む。
【００４０】
接続部１６は、マイクロストリップラインに接続される接続面６２を有する。本実施の形態におけるアンテナプローブ１は、平板状の導体を折り曲げて形成されている。接続部１６およびアンテナ部１５は、それぞれが平板状に形成されている。接続面６２は、外縁が閉じた形状を有し、外縁の内部全体が接触するように形成されている。本実施の形態においては、接続面６２は、平面形状が略四角形になるように形成され、接続面６２全体がマイクロストリップラインに接合される。
【００４１】
アンテナプローブ１は、接続部１６とアンテナ部１５とが第１の曲折部としての曲折部２３を介して一体的に形成されている。アンテナ部１５の延びる方向と接続部１６の延びる方向とのなす角度θ１は９０度になるように形成されている。
【００４２】
図１および図２を参照して、アンテナ部１５は、一部が導波管７の内部に配置されている。アンテナ部１５の延びる方向は、矢印７５に示す偏波面の方向に対して水平になるように形成されている。また、アンテナ部１５は、主表面が、矢印７１に示す信号の入射方向に対してほぼ垂直になるように形成されている。
【００４３】
本実施の形態におけるアンテナプローブ１は、接続部１６の接続面が平面状に形成され、アンテナ部１５と接続部１６とが導体で一体的に形成されている。接続部１６をマイクロストリップライン９に接続する際には平面状の接続面６２を利用する。アンテナプローブ１は、マイクロストリップライン９に対して大きな接触面積で接合される。したがって、図１の矢印７２に示す導波管７の長手方向、および図２の矢印７３に示す導波管７の長手方向に垂直な方向にアンテナプローブ１が傾くことを防止しながら容易にアンテナプローブ１を回路基板６に取付けることができる。本発明に基づく低雑音コンバータは、本発明に基づくアンテナプローブを備えるため生産性が向上して、さらに、受信特性が向上する。
【００４４】
たとえば、アンテナプローブ１の接続部１６とアンテナ部１５とのなす角θ１を、９０度になるように形成し、さらに、回路基板６の主表面が、矢印７５に示す偏波面とほぼ垂直になるように回路基板６を導波管７に固定することによって、アンテナ部１５の傾きを厳密に調整することなく、アンテナプローブ１をマイクロストリップライン９に接合することができる。
【００４５】
また、アンテナプローブの取付け後に、アンテナ部の取付け状況を外側から検査することができて作業性が向上する。すなわち、接続部のマイクロストリップラインにおける位置や接続部の傾きなどを検査することにより、アンテナ部の位置ずれや傾きを検査することができる。さらに、製品使用後に修理を行なったり、検査を行なったりするときにも、回路基板の表面の側から、アンテナ部の状況を検査することができて作業性が向上する。
【００４６】
さらに、本実施の形態におけるアンテナプローブは、１枚の板状の導体を折り曲げて形成されている。本実施の形態におけるアンテナプローブの接続方法は、アンテナプローブとして、板状の導体を折り曲げて、一の平板部分をアンテナ部として導波管の内部に配置する。さらに、他の平板部分を接続部としてマイクロストリップラインに接続している。この構成または方法を採用することにより、アンテナプローブを容易に形成することができる。
【００４７】
図３を参照して、本実施の形態においては、回路基板６、マイクロストリップライン９および導波管には、アンテナプローブ１のアンテナ部１５を挿入するための開口部２１が形成されている。
【００４８】
開口部２１は、アンテナプローブ１の断面形状とほぼ同じ形状を有する。すなわち、開口部２１は、アンテナプローブ１の動きを拘束するように形成されている。この構成を採用することにより、アンテナプローブ１の位置ずれを抑制することができる。
【００４９】
本実施の形態においては、マイクロストリップライン９の表面に、接続部１６の接続位置を定めるための位置決めマーク２２が形成されている。本実施の形態における位置決めマーク２２は、接続部１６を配置すべき領域の外側に沿うように形成されている。接続部１６の平面視したときの角になる部分に、位置決めマーク２２が配置されている。位置決めマーク２２としては、たとえば、銅箔や導電部などの導電パターンでもよいし、ソルダーレジストのようなレジストであっても構わない。
【００５０】
位置決めマーク２２を配置することによって、マイクロストリップライン９に対するアンテナプローブの位置合わせを容易に行なうことはできる。また、容易に正確な位置にアンテナプローブを配置することができるため、アンテナ特性の向上を図ることができる。
【００５１】
位置決めマーク２２としては、視認できる任意の材質を用いることができるが、回路基板を形成する際に同時に形成可能なものが好ましい。たとえば、回路基板の配線パターンやレジストを使用することが好ましい。この構成を採用することにより、回路基板の他の部分の形成時に、同時に位置決めマークを形成することができて作業効率が向上する。
【００５２】
アンテナプローブは、修理を行なう場合や組立後の検査において、取付け位置精度が許容値を越えていた場合には、組立て直しのために取り外される。アンテナプローブを回路基板から取り外す際には、半田付けを行なった部分の再加熱を行なって半田を溶かすことによって行なう。本発明におけるアンテナプローブは、このようなアンテナプローブの取外し、または、アンテナプローブの再装着の際にも作業性が向上する。
【００５３】
図５に、本実施の形態における第２のアンテナプローブの概略斜視図を示す。第２のアンテナプローブとしてのアンテナプローブ２は、接続部１６とアンテナ部１５とが第１の曲折部としての曲折部２５を介して接続されている。曲折部２５は側面から見たときに、湾曲するように形成されている。曲折部２５は、曲面を有するように形成されている。アンテナプローブ２は、接続面６２がマイクロストリップラインと接触するように接合されることは、本実施の形態における第１のアンテナプローブと同様である。このように、第１の曲折部は、湾曲するように形成されていても構わない。
【００５４】
図６に、本実施の形態における第３のアンテナプローブの概略斜視図を示す。第３のアンテナプローブとしてのアンテナプローブ３は、接続部１６とアンテナ部１５とが第１の曲折部としての曲折部２６を介して接続されている。曲折部２６は、凸の部分の面取り加工が行なわれた、いわゆるＣ面を有するように形成されている。すなわち、曲折部２６は、側方から見たときに、折れ曲がった角の頂点の部分を平面で切り落とした形状を有する。このように、第１の曲折部は、Ｃ面を有するように形成されていても構わない。
【００５５】
図７に、本実施の形態における第４のアンテナプローブの概略斜視図を示す。第４のアンテナプローブとしてのアンテナプローブ４は、接続部１９とアンテナ部１５とを含み、曲折部２３を介してそれぞれが接続されている。アンテナプローブ４においては、接続部１９の曲折部２３の側の端部において、半田流れ防止手段として、レジスト８が形成されている。レジスト８は、接続面６２を含む接続部１９を囲むように帯状に配置されている。レジスト８は、たとえば、基板で使用されるソルダーレジストで形成されている。
【００５６】
アンテナ部１５および接続部１９の一部に半田流れ防止手段が形成されていることにより、半田がアンテナ部１５に向かって流れてしまうことを防止できる。この結果、アンテナ自体の特性が設計からずれることを防止できる。さらに、半田が接続部１９から流れ出すことによる短絡を防止できる。
【００５７】
本実施の形態においては、半田流れ防止手段として、レジストが接続部の一部に配置されているが、特にこの形態に限られず、半田がアンテナ部に向かって流れることを抑制する手段が形成されていれば構わない。たとえば、アンテナプローブは、真鍮で形成され、表面に半田付けのための錫めっきが施される。半田流れ防止手段としては、レジストの代わりにこの錫めっきが形成されていなくてもよい。または、半田流れ防止手段がアンテナ部の曲折部の近傍に配置されていても構わない。
【００５８】
（実施の形態２）
図８から図１０を参照して、本発明に基づく実施の形態２におけるアンテナプローブ、低雑音コンバータ、およびアンテナプローブの接続方法について説明する。
【００５９】
図８に、本実施の形態における低雑音コンバータの導波管の部分の概略斜視図を示す。図９に、図８におけるＩＸ−ＩＸ線に関する矢視断面図を示す。低雑音コンバータが、導波管および回路基板を備え、回路基板の表面にマイクロストリップラインが形成されていることは実施の形態１と同様である。本実施の形態における低雑音コンバータは、アンテナプローブの構成が実施の形態１と異なる。
【００６０】
図１０に、本実施の形態におけるアンテナプローブの概略斜視図を示す。本実施の形態におけるアンテナプローブ５は、アンテナ部１７が、第２の曲折部としての曲折部２４を有し、正面の形状がＬ字形に形成されている。アンテナ部１７は、信号を受信するための受信部２０を含む。受信部２０は、Ｌ字形の二方向に直線状に伸びる部分のうち、一方向に直線状に延びる部分である。
【００６１】
接続部１６とアンテナ部１７とは、第１の曲折部としての曲折部２３を介して接続されている。曲折部２３における接続部１６とアンテナ部１７とのなす角度θ２は、９０度になるように形成されている。また、アンテナ部１７において、曲折部２４における角度θ３は、９０度になるように形成されている。
【００６２】
図８および図９を参照して、アンテナ部１７のうち受信部２０の一部が導波管７の内部に配置されている。回路基板６は、導波管７に接合されている。
【００６３】
到来信号は、矢印７１に示す向きに進行する。本実施の形態におけるアンテナプローブは、矢印７６および矢印７１に平行な偏波面を有する信号を受信するように形成されている。すなわち、本実施の形態におけるアンテナプローブは、水平偏波の信号を受信するように形成されている。
【００６４】
図９を参照して、本実施の形態におけるアンテナ部１７の受信部２０は、延びる方向が、接続部１６の接続面とほぼ平行になるように形成されている。この構成を採用することにより、実施の形態１に示す直線状のアンテナ部を備えるアンテナプローブと、本実施の形態における曲折部を有するアンテナ部を備えるアンテナプローブとを、同一の方向から導波管の内部に挿入することができ、一個の回路基板に２つのアンテナプローブを配置することができる。または、直交２偏波の信号を受信するための２個のアンテナプローブを１個の回路基板に容易に配置することができる。
【００６５】
図９および図１０を参照して、本実施の形態においては、接続部１６とアンテナ部１７とのなす角度θ２およびアンテナ部１７の曲折部２４の角度θ３が、ほぼ９０度になるように形成されているが、特にこの形態に限られず、これらの角度は、受信部２０の延びる方向が到来する信号の偏波面とほぼ水平になるような角度を有していれば構わない。この構成を採用することにより、導波管に対して任意の位置からアンテナプローブを挿入することができて、設計の自由度が向上する。
【００６６】
その他のアンテナプローブ、低雑音コンバータ、およびアンテナプローブの接続方法の構成、作用および効果については、実施の形態１と同様であるのでここでは説明を繰返さない。
【００６７】
上記の実施の形態においては、衛星放送を受信するためのアンテナ装置に備えられた低雑音コンバータについて説明を行なったが、この形態に限られず、衛星通信の信号を受信するためのアンテナプローブについても本発明を適用することができる。
【００６８】
上記の全ての実施の形態に係る図においては、同一または相当する部分に同一の符号を付している。
【００６９】
なお、今回開示した上記実施の形態はすべての点で例示であって制限的なものではない。本発明の範囲は上記した説明ではなくて特許請求の範囲によって示され、特許請求の範囲と均等の意味および範囲内でのすべての変更を含むものである。
【図面の簡単な説明】
【００７０】
【図１】実施の形態１における低雑音コンバータの導波管の部分の概略斜視図である。
【図２】実施の形態１における低雑音コンバータの導波管の部分の概略断面図である。
【図３】実施の形態１におけるアンテナプローブが配置されている回路基板の概略平面図である。
【図４】実施の形態１における第１のアンテナプローブの概略斜視図である。
【図５】実施の形態１における第２のアンテナプローブの概略斜視図である。
【図６】実施の形態１における第３のアンテナプローブの概略斜視図である。
【図７】実施の形態１における第４のアンテナプローブの概略斜視図である。
【図８】実施の形態２における低雑音コンバータの導波管の部分の概略斜視図である。
【図９】実施の形態２における低雑音コンバータの導波管の部分の概略断面図である。
【図１０】実施の形態２におけるアンテナプローブの概略斜視図である。
【図１１】衛星信号受信システムの概略説明図である。
【図１２】低雑音コンバータの電気回路のブロック図である。
【図１３】従来の技術に基づく低雑音コンバータにおいて、導波管およびアンテナプローブの概略斜視図である。
【図１４】従来の技術に基づく低雑音コンバータにおいて、導波管およびアンテナプローブの概略断面図である。
【図１５】従来の技術に基づく一のアンテナプローブの概略斜視図である。
【図１６】従来の技術に基づく他のアンテナプローブの概略斜視図である。
【図１７】従来の技術に基づく低雑音コンバータにおいて、導波管の部分の概略斜視図である。
【図１８】従来の技術に基づく低雑音コンバータにおいて、導波管の部分の概略断面図である。
【図１９】従来の技術に基づく低雑音コンバータにおいて、回路基板の概略平面図である。
【符号の説明】
【００７１】
１〜５  アンテナプローブ、６  回路基板、７  導波管、８  レジスト、９  マイクロストリップライン、１５，１７  アンテナ部、１６，１９  接続部、２０  受信部、２１  開口部、２２  位置決めマーク、２３〜２６  曲折部、３０  テレビジョン受像機、３１  ＤＢＳチューナ、３２  低雑音コンバータ、３３  放送衛星、３４  ＩＦケーブル、３５  アンテナ、４０  ＬＮＡ、４１〜４３  増幅器、４４  切替器、４５  フィルタ、４６  ミキサ、４７  中間周波数増幅器、４８  局部発信器、４９  電源、５０  出力端子、５１  導波管、５２〜５５  プローブ、５６  アンテナ部、５７，５８  接続部、５９  固定部、６１  屋内領域、６２  接続面、７１〜７６  矢印、θ１〜θ３  角度。
【図１】
2006238197.tif 000003
【図２】
2006238197.tif 000004
【図３】
2006238197.tif 000005
【図４】
2006238197.tif 000006
【図５】
2006238197.tif 000007
【図６】
2006238197.tif 000008
【図７】
2006238197.tif 000009
【図８】
2006238197.tif 000010
【図９】
2006238197.tif 000011
【図１０】
2006238197.tif 000012
【図１１】
2006238197.tif 000013
【図１２】
2006238197.tif 000014
【図１３】
2006238197.tif 000015
【図１４】
2006238197.tif 000016
【図１５】
2006238197.tif 000017
【図１６】
2006238197.tif 000018
【図１７】
2006238197.tif 000019
【図１８】
2006238197.tif 000020
【図１９】
2006238197.tif 000021